(57)【要約】【課題】光照射によって空間全体の連続性や拡がり感を強調するのに適し、空間との調和を保って空間全体の美観を向上することができる間接照明器具を提供する。【解決手段】本発明にかかる間接照明器具１は、壁面３と接する天井面２の角隅位置に形成された凹部４の内壁面４ａに器具本体５が直接的に取り付けられる構成であることを特徴としている。このとき、前記器具本体５は前記凹部４の外側角端部から前記凹部４の内底面４ｂに向かって傾斜した前面パネル６を具備しており、この前面パネル６の下端部６ａは前記凹部４の外側角端部を経由して前記天井面２上まで延出されていることが好ましい。【選択図】  図１
2004349166.tif 000002
【特許請求の範囲】
【請求項１】
壁面と接する天井面の角隅位置に形成された凹部の内壁面に器具本体が直接的に取り付けられる構成であることを特徴とする間接照明器具。
【請求項２】
前記器具本体は前記凹部の外側角端部から前記凹部の内底面に向かって傾斜した前面パネルを具備しており、この前面パネルの下端部は前記凹部の外側角端部を経由して前記天井面上まで延出されていることを特徴とする請求項１に記載の間接照明器具。
【請求項３】
前記前面パネルの上端部と前記凹部の内壁面とを結ぶ前記器具本体の上端縁からは光源ランプが前記凹部の内底面に向かって突出しており、前記器具本体の上端縁に沿っては前記光源ランプからの照射光を反射する反射板が設けられていることを特徴とする請求項２に記載の間接照明器具。
【請求項４】
前記光源ランプの一部は前記前面パネルの上端部から前記壁面に向かって突出していることを特徴とする請求項３に記載の間接照明器具。
【発明の詳細な説明】
【０００１】
【発明の属する技術分野】
本発明は間接照明器具にかかり、特には、天井面に設置して使用される間接照明器具に関する。
【０００２】
【従来の技術】
従来から、オフィスビルや公共施設等におけるエントランスホールや廊下等の天井面に設置される間接照明器具の一例としては、特許文献１で開示され、図４で簡略化して示すようなものがある。すなわち、この間接照明器具５１は、壁面５２の所定高さ位置に取り付けられた支持板５３と、この支持板５３で支持されるのに伴って壁面５２及び天井板５４間の開口５５内に収納され、かつ、側面板５６ａが壁面５２と対向する器具本体５６と、この器具本体５６の側面板５６ａに取り付けられて光源ランプ５７を壁面５２に対向させる支持腕５８とを備えている。
【０００３】
そして、この際における支持板５３の下端部に対しては、下向きの反射板５９が設けられている。その結果、間接照明器具５１では、反射板５９で反射することによって光源ランプ５７からの照射光（図示省略）を主として壁面５２の下方側に向かって照射することが行われる。なお、この間接照明器具５１は、支持板５３を介して天井板５４が壁面５２で支持されることを前提としたものであり、器具本体５６及び支持腕５８は壁面５２に接近し、また、離反することが可能な構成とされている。
【０００４】
【特許文献１】
特開平７−３２０５２７号公報
【０００５】
【発明が解決しようとする課題】
前記従来の形態にかかる間接照明器具５１は天井板５４が壁面５２でもって接近及び離反可能に支持されることを前提としており、このような構成でない場合には、前記従来の間接照明器具５１を採用することが困難となる。すなわち、例えば、コンクリート製の壁面と天井面とが互いに一体化されて連続する建物等の場合にあっては、前記従来の構成とされた間接照明器具５１を採用することはできないのが実状である。
【０００６】
このような実状であるにも拘わらず、近年においては設計当初から建物等の天井面、つまり、壁面と一体化されて連続する天井面に間接照明器具を設置することが計画される場合があり、この場合にあっては、従来の形態と異なる新たな構成の間接照明器具を提案することが要望される。そして、この際における間接照明器具では、建物等の天井面に設置された間接照明器具が目立ち過ぎず、また、光照射による空間全体の連続性や拡がり感を強調して美観を保つことが重要となる。
【０００７】
本発明はこれらの課題を実現するために創案されたものであり、光照射によって空間全体の連続性や拡がり感を強調するのに適し、空間との調和を保って空間全体の美観を向上することができる間接照明器具の提供を目的としている。
【０００８】
【課題を解決するための手段】
第１の発明にかかる間接照明器具は、壁面と接する天井面の角隅位置に形成された凹部の内壁面に対し、器具本体が直接的に取り付けられる構成であることを特徴としている。そして、第２の発明にかかる間接照明器具は第１の発明にかかるものであり、前記器具本体が前記凹部の外側角端部から前記凹部の内底面に向かって傾斜した前面パネルを具備しており、この前面パネルの下端部が前記凹部の外側角端部を経由して前記天井面上まで延出されていることを特徴とする。
【０００９】
また、第３の発明にかかる間接照明器具は第２の発明にかかるものであり、前記前面パネルの上端部と前記凹部の内壁面とを結ぶ前記器具本体の上端縁からは光源ランプが前記凹部の内底面に向かって突出しており、前記器具本体の上端縁に沿っては前記光源ランプからの照射光を反射する反射板が設けられていることを特徴とする。さらに、第４の発明にかかる間接照明器具は第３の発明にかかるものであり、前記光源ランプの一部が前記前面パネルの上端部から前記壁面に向かって突出していることを特徴とする。
【００１０】
【発明の実施の形態】
図１は本実施の形態にかかる間接照明器具の構造及び取付状態を簡略化して示す説明図、図２は間接照明器具の構造を拡大して示す側面図であり、図３は間接照明器具を右斜め上方から見た状態を示す外観斜視図である。なお、図１〜図３のそれぞれにおける符号１は、間接照明器具を示している。
【００１１】
本実施の形態にかかる間接照明器具１は、オフィスビルや公共施設等のような建物におけるエントランスホールや廊下等の天井面２に設置されるものであり、図１〜図３で示すように、壁面３と接する天井面２の角隅位置には所定の大きさを有する凹部４が予め形成されている。そして、間接照明器具１は、天井面２に形成された凹部４の壁面３と対向する側の内壁面４ａに直接的に取り付けられる器具本体５を備えている。
【００１２】
また、この際における器具本体５は、天井面２に形成された凹部４の外側角端部から凹部４の内底面４ｂに向かって傾斜した状態で配置されてなる平板形状の前面パネル６を具備しており、この前面パネル６の下端部６ａは凹部４の外側角端部を経由したうえで天井面２上にまで延出されている。
【００１３】
さらに、この間接照明器具１は長尺形状の光源ランプ７を具備しており、光源ランプ７は前面パネル６の上端部と凹部４の内壁面４ａ、つまり、器具本体５が取り付けられた凹部４の内壁面４ａとを結ぶ器具本体５の上端縁から凹部４の内底面４ｂに向かうように突出している。なお、図２中の符号８はインバーターを示しており、光源ランプ７はインバーター８等の制御機器を用いて安定的に制御される。
【００１４】
一方、光源ランプ７が配設された器具本体５の上端縁は、壁面３へ向かって斜め下方に傾斜しており、この上端縁に沿って、光源ランプ７からの照射光Ｌを反射する平板形状の反射板９が全面にわたって設けられている。なお、図２中の符号１０は押さえボルトであり、これらの押さえボルト１０を介して反射板９は器具本体５に連結されている。
【００１５】
そこで、光源ランプ７から反射板９に向かった照射光Ｌは反射板９によって凹部４の内底面へと反射されることになり、この凹部４の内底面で反射される結果として凹部４の開口面から主として壁面３の下方側に向かって照射される。そして、このとき、光源ランプ７からの照射光Ｌは壁面３の下方側に向かうと共に、天井面２に沿っても照射されることになる。
【００１６】
ところで、本実施の形態にかかる間接照明器具１が備える器具本体５の前面パネル６は平板形状とされたうえ、凹部４の外側角端部から凹部４の内底面４ｂに向かって傾斜した状態で配置されている。従って、図１で示すように、通行者１１が下方側から間接照明器具１を見上げたとしても、前面パネル６があるため、光源ランプ７自体が通行者１１の視野に入ることは起こらない。その結果、光源ランプ７からの照射光Ｌによって空間全体の連続性や拡がり感が強調されることになり、美観が確保される。
【００１７】
なお、本発明の発明者が検討してみたところによれば、器具本体５の具備する光源ランプ７が凹部４の内壁面４ａから６０ｍｍ程度離間しているだけである場合、つまり、光源ランプ７が凹部４の内壁面４ａから６０ｍｍ程度しか突出していない場合には、照射光Ｌが通過することになる凹部４の開口面積が確保される結果、良好な間接照明効果が得られることが確認されている。
【００１８】
さらにまた、図１及び図２で示すように、器具本体５の具備する光源ランプ７の一部、具体的には左端部を前面パネル６の上端部から壁面３側に向かって突出させるようにしても、つまり、壁面３に近づく外側から２ｍｍ程度だけ突出させるようにしておいてもよい。このような構成とした場合には、光源ランプ７からの照射光Ｌが壁面３におけるより遠方にまで届くこととなり、光照射を利用して空間全体の連続性や拡がり感を与えることが容易となる。
【００１９】
【発明の効果】
請求項１記載の間接照明器具は、壁面と接する天井面の角隅位置に形成された凹部の内壁面に直接的に取り付けられる器具本体を備えているので、この間接照明器具を設置した状態下で間接照明器具が目立ち過ぎることはなくなる。そのため、光照射によって空間との調和を保ちながら空間全体の連続性や拡がり感を強調し、空間全体の美観の向上を実現することができる。
【００２０】
請求項２記載の間接照明器具が備える器具本体は、凹部の外側角端部から凹部の内底面に向かって傾斜した前面パネルを具備しており、かつ、この前面パネルの下端部は前記凹部の外側角端部を経由して前記天井面上まで延出されている。従って、通行者が下方側から間接照明器具を見上げたとしても、光源ランプ自体が通行者の視野に入ることは起こらず、空間全体の美観が向上するという効果が得られる。
【００２１】
請求項３記載の間接照明器具では、前面パネルの上端部と凹部の内壁面とを結ぶ器具本体の上端縁から光源ランプが凹部の内底面に向かって突出しており、器具本体の上端縁に沿っては光源ランプからの照射光を反射する反射板が設けられている。そこで、凹部の開口面からは主として壁面の下方側に向かって十分な照射光が照射されることになり、同時に、天井面に沿っても十分な照射光が照射されるという利点が確保される。
【００２２】
請求項４記載の間接照明器具においては、光源ランプの一部が前面パネルの上端部から壁面に向かって突出させられているので、光源ランプからの照射光が壁面のより遠方まで届くことになる。その結果、光照射を利用して空間全体の連続性や拡がり感を与えることが容易となり、空間との調和を保ちながら空間全体の美観を向上することができる。
【図面の簡単な説明】
【図１】本実施の形態にかかる間接照明器具の構造及び取付状態を簡略化して示す説明図である。
【図２】本実施の形態にかかる間接照明器具の構造を拡大して示す側面図である。
【図３】本実施の形態にかかる間接照明器具を右斜め上方から見た状態を示す外観斜視図である。
【図４】従来の形態にかかる間接照明器具の構造及び取付状態を簡略化して示す説明図である。
【符号の説明】
１    間接照明器具
２    天井面
３    壁面
４    凹部
４ａ  内壁面
４ｂ  内底面
５    器具本体
６    前面パネル
７    光源ランプ
９    反射板
【図１】
2004349166.tif 000003
【図２】
2004349166.tif 000004
【図３】
2004349166.tif 000005
【図４】
2004349166.tif 000006